(57)【要約】【課題】異なる音圧で記録された音楽ＣＤやＨＤＤに記録された楽曲を再生する際に自分の好みに合わせて音圧をその都度、調節する煩わしさを解消させる。【解決手段】楽曲データと楽曲データ別の再生音圧データ等を記憶する記憶手段と、再生楽曲の指定と再生音圧を手動調節する入力手段と、ディジタル楽曲データを音に再生させる楽曲再生手段を備えて構成する。楽曲再生手段は入力手段より指定された楽曲データを記憶手段から抽出し、該楽曲データに対応付けて記憶手段に記憶されている再生音圧データに従った音圧で再生開始する。再生中に入力手段により再生音圧の手動調節を受けた場合には指示通りに直ちに音圧を変更し、再生終了時にはその時点の再生音圧をその楽曲データに対応付けて再生音圧データとして記録する。【選択図】図１
2006302447.tif 000002
【特許請求の範囲】
【請求項１】
楽曲データと該楽曲データ別の再生音圧データを記憶する記憶手段と、
再生する楽曲データの指定と再生音圧の加減指示を受ける入力手段と、
楽曲データを音に再生させる楽曲再生手段と、を備えて構成され、
該楽曲再生手段は、前記入力手段より指定を受けた楽曲データを前記記憶手段から抽出すると共に該楽曲データに対応付けて前記記憶手段に記憶された前記再生音圧データを読み出してその数値の音圧で再生を開始し、該再生中に前記入力手段より再生音圧の加減指示を受けた場合には指示通りに直ちに音圧を変更し、再生終了時にはその時点の再生音圧を該楽曲データに対応付けた再生音圧データとして前記記憶手段に記憶することを特徴とする楽曲再生装置。
【請求項２】
音楽ＣＤに記録された楽曲データを読み出すＣＤ駆動手段と、
前記楽曲データ別の再生音圧データを記憶する記憶手段と、
再生する楽曲データの指定と再生音圧の加減指示を受ける入力手段と、
楽曲データを音に再生させる楽曲再生手段と、を備えて構成され、
該楽曲再生手段は、前記ＣＤ駆動手段にセットされた音楽ＣＤに記録された楽曲データの再生指示を前記入力手段より受けた場合には、指示された楽曲データの読み出しを前記ＣＤ駆動手段に指示して読み出された楽曲データを受け取ると共に該楽曲データに対応付けて前記記憶手段に記憶された前記再生音圧データを読み出してその数値の音圧で再生を開始し、該再生中に前記入力手段より再生音圧の加減指示を受けた場合には指示通りに直ちに音圧を変更し、再生終了時にはその時点の再生音圧を該楽曲データに対応付けた再生音圧データとして前記記憶手段に記憶することを特徴とする楽曲再生装置。
【請求項３】
請求項１又は２に記載の楽曲再生装置であって、該楽曲再生装置を搭載した車両の現在位置を検出する位置検出手段と、該車両の車速を検出する車速検出手段と、道路地図を含む地図データベースとを更に備え、
前記楽曲再生手段は、再生終了時の再生音圧を楽曲データに対応付けた再生音圧データとして前記記憶手段に記憶するに際しては、更に前記車速検出手段と位置検出手段と地図データベースとに基づいて得られるその時点の前記車両の走行状態を考慮した小分類に分類分けして記録しておき、
前記入力手段より指定を受けた楽曲データの再生を行なう場合には、該楽曲データに対応付けて記録してある前記再生音圧データの中で、その時点における前記車両の走行状態に最も近い走行状態の小分類に記録された前記再生音圧データを読み出してその数値の音圧で再生を開始することを特徴とする楽曲再生装置。
【請求項４】
請求項３に記載の楽曲再生装置であって、前記車両の走行状態を考慮した小分類は、車速と走行中道路の道路種類とにより分類した小分類であることを特徴とする楽曲再生装置。
【請求項５】
請求項１乃至４の何れかに記載の楽曲再生装置であって、前記楽曲再生手段は、前記入力手段より指定された楽曲データの再生を開始する際に該楽曲データに対応付けられた前記再生音圧データが前記記憶手段に記憶されていなかった場合には、直前に再生した楽曲データの再生終了時の音圧にて再生を開始することを特徴とする楽曲再生装置。
【発明の詳細な説明】
【技術分野】
【０００１】
本発明は、ＨＤＤや音楽ＣＤに記憶された楽曲データを再生する楽曲再生装置に関する。
【背景技術】
【０００２】
近年、音楽ＣＤ（ＣＤ−ＤＡ：Compact Disc Digital Audio）やＨＤＤ（Hard Disc Drive：磁気ディスク装置）に楽曲データをディジタル形式で記録しておいて再生を行なう楽曲再生装置が普及してきている。
【０００３】
音楽ＣＤには通常、複数の楽曲が記録されており１枚の音楽ＣＤに納められた複数の楽曲は音圧レベルを統一して記録されている。このため、再生に際してアンプの音量調整ボリュームを操作しなければ楽曲は同じ音圧レベルで再生される。一方、ＨＤＤに記録される楽曲は、パーソナルコンピュータを使用した所定の変換ソフトにより音楽ＣＤに記録された楽曲データをエンコード等することによって取り込まれたり、あるいはインターネット等を介して所定の音楽配信サイトからダウンロードして取り込まれたり（いわゆる「リッピング」）する。
【０００４】
こうしたリッピングにより得られた楽曲は、元の楽曲の音圧レベルが統一されていないため異なる音圧で再生される。従って、再生時に楽曲ごとに音圧レベルを音量調整ボリュームで好みのレベルに調節する必要の生ずることが多い。リッピングした楽曲を再編集した音楽ＣＤを再生する場合も同じことが生ずる。
【０００５】
また、車両に搭載された楽曲再生装置で楽曲を再生する場合には、車両の走行状態により音圧レベルを変えて楽しみたいことがある。こうした場合に一々、ユーザが音量調整ボリュームを操作して音圧レベルを好みのレベルに調節するのは煩わしいことである。
【０００６】
こうした煩わしさを改善する技術として特許文献１には、再生時の音量、音質等を楽曲毎に記憶しておいて再生させる技術が開示されている。しかし、この技術の場合には再生時の音量、音質等をユーザが画面で設定する必要があるため、その操作が煩わしいという問題がある。
【特許文献１】特開２００１−１８４０７７号公報
【発明の開示】
【発明が解決しようとする課題】
【０００７】
本発明はこのような従来技術の問題点を解決するためになされたもので、その課題は、ユーザが異なる音圧で記録された音楽ＣＤやＨＤＤに記録された楽曲を再生する際に、自分の好みに合わせて音圧をその都度、調節する煩わしさを解消させることにある。
【課題を解決するための手段】
【０００８】
前記課題を解決するための請求項１に記載の発明は、楽曲データと該楽曲データ別の再生音圧データを記憶する記憶手段と、再生する楽曲データの指定と再生音圧の加減指示を受ける入力手段と、楽曲データを音に再生させる楽曲再生手段と、を備えて構成され、該楽曲再生手段は、前記入力手段より指定を受けた楽曲データを前記記憶手段から抽出すると共に該楽曲データに対応付けて前記記憶手段に記憶された前記再生音圧データを読み出してその数値の音圧で再生を開始し、該再生中に前記入力手段より再生音圧の加減指示を受けた場合には指示通りに直ちに音圧を変更し、再生終了時にはその時点の再生音圧を該楽曲データに対応付けた再生音圧データとして前記記憶手段に記憶することを特徴とする楽曲再生装置である。
【０００９】
ここで再生音圧データとは、楽曲データをスピーカから音で再生するときの音圧（音量）を相対値で表わした数値をいう。
このような構成の楽曲再生装置によれば、リッピングしてＨＤＤに記憶させた楽曲データのように異なる音圧で記録された楽曲でも前回再生時におけるユーザの好みの音圧で自動再生が行なわれる。従って、ユーザは再生中に好みの音圧に調節しておけば、次回以降の再生の際には音圧を好みに合わせてその都度、調節する必要がなくなるという効果を奏する。
【００１０】
また、請求項２に記載の発明は、音楽ＣＤに記録された楽曲データを読み出すＣＤ駆動手段と、前記楽曲データ別の再生音圧データを記憶する記憶手段と、再生する楽曲データの指定と再生音圧の加減指示を受ける入力手段と、楽曲データを音に再生させる楽曲再生手段と、を備えて構成され、該楽曲再生手段は、前記ＣＤ駆動手段にセットされた音楽ＣＤに記録された楽曲データの再生指示を前記入力手段より受けた場合には、指示された楽曲データの読み出しを前記ＣＤ駆動手段に指示して読み出された楽曲データを受け取ると共に該楽曲データに対応付けて前記記憶手段に記憶された前記再生音圧データを読み出してその数値の音圧で再生を開始し、該再生中に前記入力手段より再生音圧の加減指示を受けた場合には指示通りに直ちに音圧を変更し、再生終了時にはその時点の再生音圧を該楽曲データに対応付けた再生音圧データとして前記記憶手段に記憶することを特徴とする楽曲再生装置である。
【００１１】
このような構成の楽曲再生装置によれば、リッピングした楽曲を再編集した音楽ＣＤに記憶された楽曲データのように異なる音圧で記録された楽曲でも前回再生時におけるユーザの好みの音圧で自動再生が行なわれる。従って、ユーザは再生中に好みの音圧に調節しておけば、次回以降の再生の際には音圧を好みに合わせてその都度、調節する必要がなくなるという効果を奏する。
【００１２】
また、請求項３に記載の発明は、請求項１又は２に記載の楽曲再生装置であって、該楽曲再生装置を搭載した車両の現在位置を検出する位置検出手段と、該車両の車速を検出する車速検出手段と、道路地図を含む地図データベースとを更に備え、前記楽曲再生手段は、再生終了時の再生音圧を楽曲データに対応付けた再生音圧データとして前記記憶手段に記憶するに際しては、更に前記車速検出手段と位置検出手段と地図データベースとに基づいて得られるその時点の前記車両の走行状態を考慮した小分類に分類分けして記録しておき、前記入力手段より指定を受けた楽曲データの再生を行なう場合には、該楽曲データに対応付けて記録してある前記再生音圧データの中で、その時点における前記車両の走行状態に最も近い走行状態の小分類に記録された前記再生音圧データを読み出してその数値の音圧で再生を開始することを特徴とする。
【００１３】
車両に搭載した楽曲再生装置では、同じ楽曲であっても車両の走行状態（車速、走行中の道路種類等）に応じた好みの音圧で再生させたい場合がある。本発明の構成によれば、再生終了時の再生音圧が楽曲データ別にその時の走行状態による小分類に分類分けして記憶される。そして次回の再生時には、その時点の走行状態に対応した再生音圧が読み出されてその音圧で再生が開始され、再生途中に走行状態が変った場合には自動的にそれに合わせた再生音圧が読み出されて変更される。従って、ユーザは走行状態に合わせて一々、手動で好みの再生音圧に調節するという煩わしさから開放される効果を奏する。
【００１４】
また、請求項４に記載の発明は、請求項３に記載の楽曲再生装置であって、前記車両の走行状態を考慮した小分類は、車速と走行中道路の道路種類とにより分類した小分類であることを特徴とする。
【００１５】
再生時の車速と走行中道路の道路種類は、再生音圧を変えたいと考える強い動機付けとなる。従って、本構成のようにして再生時の車速と走行中道路の道路種類に応じてユーザが以前に調節した好みの再生音圧で再生が行なわれれば、ユーザは車速と道路種類が変る度に音圧を好みに合わせて調整するという煩わしさから開放される効果を奏する。
【００１６】
また、請求項５に記載の発明は、請求項１乃至４の何れかに記載の楽曲再生装置であって、前記楽曲再生手段は、前記入力手段より指定された楽曲データの再生を開始する際に該楽曲データに対応付けられた前記再生音圧データが前記記憶手段に記憶されていなかった場合には、直前に再生した楽曲データの再生終了時の音圧にて再生を開始することを特徴とする。
【００１７】
このような構成によれば再生する楽曲データについての再生音圧データが記憶されていない場合であっても、取り敢えずは直前に再生した楽曲データの再生終了時の音圧にて再生が行なわれるのでユーザはそれ程の違和感を感じなくて済む効果を奏する。
【発明を実施するための最良の形態】
【００１８】
以下、本発明に係る楽曲再生装置について実施形態に分けて説明する。
（第１の実施形態）
図１は、本発明に係る楽曲再生装置の第１の実施形態の回路構成をブロック図で示したものである。本実施形態の楽曲再生装置１は、制御回路２、表示装置３、タッチパネル４、通信装置６、磁気ディスク装置（以下、ＨＤＤという。）７、ＣＤ駆動装置９、Ｄ／Ａ変換器１０、可変利得アンプ１１、スピーカ１２を備えて構成される。
【００１９】
制御回路２は、楽曲再生装置１の全体動作を制御するもので、マイクロコンピュータを主体に構成されており内部には周知のＣＰＵ、ＲＡＭ、ＲＯＭ、これらを接続するバスライン、電源回路等を備える。表示装置３は、制御回路２からの出力情報を表示するためのもので、例えばカラー液晶ディスプレイで構成される。タッチパネル４は制御回路２にコマンドやデータを入力するためのものである。タッチパネル４は表示装置３の表示画面上に取り付けられており、表示装置３とタッチパネル４とは組み合わせてタッチパネル付き表示装置５として機能する。
【００２０】
通信装置６は、無線又は有線によりインターネット２０に接続するためのものである。ＨＤＤ７には、楽曲再生装置１を制御するプログラムの他、後述する楽曲データベース、再生音圧データベースが記憶されている。
【００２１】
Ｄ／Ａ変換器１０、可変利得アンプ１１、スピーカ１２は、ディジタル形式で記憶された楽曲データを音に再生するためのものである。Ｄ／Ａ変換器１０は、制御回路２又はＣＤ駆動装置９から出力されたディジタル楽曲データをアナログ電圧に変換して可変利得アンプ１１に供給する。可変利得アンプ１１は、入力されたアナログ電圧を制御回路２から出力される利得信号に従って増幅してスピーカ１２に供給する。これにより楽曲が音で再生される。
【００２２】
ＣＤ駆動装置９は、音楽ＣＤを再生するときに使用するもので、制御回路２により制御される。読み出されたディジタル楽曲データは、Ｄ／Ａ変換器１０でアナログ電圧に変換して再生される。音楽ＣＤのＴＯＣ(Table of contents)領域に書き込まれている楽曲名、アーティスト、再生時間、再生速度、ＣＤのトラックやセクション情報等は制御回路２に読み込まれる。
【００２３】
次に、このような構成の下での楽曲再生の仕方について説明する。本実施形態の楽曲再生装置１は、ＨＤＤ７内に予めディジタル形式で記憶されている楽曲データと、音楽ＣＤに記録されている楽曲データの双方を再生できるようになっている。
【００２４】
ＨＤＤ７内には楽曲データベースが設けられており、ここには多数の楽曲データが予め登録されている。登録する楽曲データは、通信装置６とインターネット２０を介して音楽配信サイトのサーバ２１に接続してダウンロードすることで取り込むことができる。他に音楽ＣＤに記録された楽曲データを変換ソフトを使用してエンコード等することにより取り込むこともできる。こうした取り込み操作は「リッピング」と呼ばれる。リッピングは事前にユーザが行なっておく。
【００２５】
次に、図２に示す制御フローにより楽曲データベースに登録されている楽曲データ又は音楽ＣＤを再生する場合の処理を説明する。図２のフローは制御回路２が実行するフローである。最初のステップＳ１では、再生する楽曲名の指定を受ける。なお、ステップＳ１の枠外の指差しマークはユーザの操作を伴うことを表わしている。制御回路２は、タッチパネル付き表示装置５の画面上に図４に例示するような再生楽曲指定画面を表示する。ユーザは、タッチパネル４を操作して再生楽曲名を入力する。再生楽曲名の入力は面倒であるので、予めプルダウンメニューの中に登録しておきその中から選択できるようにしておくとよい。
【００２６】
ユーザは、更に指定した楽曲の楽曲データが格納されている場所を選択する。リッピングして楽曲データベースに格納されている楽曲データの場合にはＨＤＤを、ＣＤ駆動装置９にセットした音楽ＣＤ中の楽曲データの場合にはＣＤを選択する。その上で画面下部のスタート釦を押す。
【００２７】
入力が終わると制御回路２は、ステップＳ２で指定された格納場所がＨＤＤであるか否かを判定する。ＨＤＤであった場合にはステップＳ３に移り、指定された楽曲データが実際に楽曲データベース内に存在するか否かをチェックする。存在しない場合にはステップＳ１に戻る。存在した場合はその楽曲データを抽出する（ステップＳ４）。
【００２８】
続くステップＳ５では、図３にフローを示した音圧調整タスクに起動をかける。そしてステップＳ６に移り、ステップＳ４で抽出した楽曲データをその再生速度に合わせてＤ／Ａ変換器１０に順次出力する動作を開始する。この出力によりディジタルな楽曲データがアナログ電圧に変換されて可変利得アンプ１１に供給される。そこで音圧調整タスクにより決定される音圧（音量）に増幅されてスピーカ１２から音となって再生される。
【００２９】
ここで、スピーカ１２から再生される音の音圧（音量）を決定する図３に示した音圧調整タスクについて説明する。この図３に示したフローも制御回路２により実行されるフローであり、図２の制御フローと時分割で同時並行処理される。最初のステップＴ１では、指定された楽曲データに対応する再生音圧データがＨＤＤ７内の再生音圧データベースに登録されているか否かをチェックする。
【００３０】
再生音圧データは、その楽曲データをスピーカ１２から音で再生する音圧（音量）を相対値で表わした数値のことをいう。再生音圧データベースには、図５に例示するような再生音圧データを登録するテーブルが設けられている。テーブルには、楽曲名、楽曲データ格納場所、楽曲データファイル名、再生音圧（％）の４個のフィールド（項目）が設けられている。楽曲データファイル名のフィールドには、楽曲名と楽曲データ格納場所で特定される楽曲データを格納するＨＤＤ７内のファイル名が記載される。楽曲データがセットされた音楽ＣＤ中に存在するものである場合には、ファイル名の代わりにその音楽ＣＤを特定するＣＤ名称が記載される。再生音圧（％）のフィールドには再生を開始する時の音圧（音量）が相対値で％で記載される。このテーブルへのレコード（データ）の登録は、後に説明するステップＳ１４にて行なわれる。
【００３１】
制御回路２は、指定された楽曲データに対応する再生音圧データ（再生音圧レコード）が図５に例示したテーブルに存在するか否かをチェックし、存在する場合にはその再生音圧（％）を読み出す（ステップＴ２）。制御回路２は、予め「出力中音圧」データを記憶する１ワードの作業領域を設けておく。制御回路２は、読み出した再生音圧（％）の値をその作業領域に格納する（ステップＴ３）。そしてステップＴ４に移る。
【００３２】
ステップＴ１にて再生音圧データが存在しないと判定された場合には、直ちにステップＴ４に移る。その場合には、「出力中音圧」の作業領域には以前の値、即ち、直前に再生した楽曲データの再生終了時の値がそのまま残っている。
【００３３】
ステップＴ４では、「出力中音圧」の作業領域中の再生音圧（％）の値を利得信号に変換して可変利得アンプ１１に出力する。再生音圧（％）の値が大きい場合には、それに比例した大きな利得信号が与えられるのでスピーカ１２からは大きな音圧（音量）で再生が行なわれる。このようにして再生開始時の再生音圧（％）は、再生音圧データベースに登録されている値、それが存在しない場合は直前に再生された楽曲の再生終了時の値にされる。
【００３４】
続くステップＴ５〜Ｔ９は、ユーザが手動で音圧（音量）調節を行なった場合に対応する処理である。ステップＴ５では微小時間Δｔ１だけ待機する。図４に例示した再生楽曲指定画面には音量調節のための釦が設けられており、ユーザは音量を大、又は小にする釦を押すことにより音圧（音量）を調節できるようになっている。
【００３５】
ステップＴ６では、音量大の釦が押されているか否かをチェックする。押されていた場合にはステップＴ７に移り、「出力中音圧」の作業領域中の再生音圧（％）の値に正の小さな値であるΔＡを加える（ステップＴ７）。そしてステップＴ４に戻る。ステップＴ４が実行されることによりスピーカ１２からの音圧（音量）は僅かに増加する。ユーザが音量大の釦を押し続けるとΔＡの値が繰り返し加算されることにより音圧（音量）が次第に増大する。ユーザは適当な所で押すのを止める。
【００３６】
ステップＴ６で音量大の釦が押されていなかった場合にはステップＴ８に移り、音量小の釦が押されていないかチェックする。押されていた場合にはステップＴ９に移り、「出力中音圧」の作業領域中の再生音圧（％）の値からΔＡの値を減算する。そしてステップＴ４に戻る。この場合にはスピーカ１２からの音圧（音量）は僅かに減少する。
【００３７】
このようなユーザの操作と制御回路２の処理により、ユーザはスピーカ１２からでる音の音圧（音量）をユーザの好みに合わせることができる。ユーザが手動調節を行なわない場合には、再生音圧データベースに登録されている値、そのデータが存在しない場合には直前に再生された楽曲の再生終了時の値が使用される。
【００３８】
このようにして再生が行なわれている途中で、制御回路２はステップＳ７において楽曲の再生が終了したか否かのチェックを行なう。再生終了は、ＨＤＤ７に記憶されている楽曲の場合にはステップＳ４で抽出した楽曲データを出力し終えたことで判定できる。再生終了したならばステップＳ１４に移る。終了していない場合にはステップＳ６に移り、Ｄ／Ａ変換器１０への出力を継続する。
【００３９】
ステップＳ２において指定された楽曲がＨＤＤ７に楽曲データが格納されたものでないと判定された場合にはステップＳ８に移る。ステップＳ８では、音楽ＣＤに格納されたもであるか判定する。音楽ＣＤに格納されたものである場合にはステップＳ９に移り、ＣＤ駆動装置９に起動をかける。ＣＤ駆動装置９が起動を開始したならば、ＣＤ駆動装置９にセットされている音楽ＣＤのＴＯＣ領域の情報を読み込み、図４の再生楽曲指定画面で指定された楽曲データが実際にセットされている音楽ＣＤ中に存在するか否かをチェックする（ステップＳ１０）。
【００４０】
存在しない場合にはステップＳ１５に移ってＣＤ駆動装置９を停止させた後、ステップＳ１に戻る。存在していた場合にはステップＳ１１に移り、ステップＳ５と同様に図３の音圧調整タスクを起動させる。ＣＤ駆動装置９の駆動により指定楽曲データの再生が始まる。再生音圧（音量）は図３の音圧調整タスクにより自動調整される。これにより指定楽曲の再生が行なわれる。
【００４１】
再生の途中で制御回路２は、ステップＳ７と同様に再生が終了したか否かのチェックを行なう（ステップＳ１２）。再生終了はＣＤ駆動装置９から再生終了の信号を受けとることで判定できる。再生が終了した場合にはステップＳ１３でＣＤ駆動装置９を停止させてステップＳ１４に移る。ステップＳ７で再生終了と判定された場合もステップＳ１４に移ってくる。
【００４２】
ステップＳ１４では、「出力中音圧」の作業領域に残っている現在の再生音圧（％）を読み出す。そして、その値を再生音圧データベース内にある図５に例示した再生音圧データを登録するテーブルに登録する。既に、以前の再生音圧データが存在する場合には再生音圧（％）のフィールドの数値を書き換える。存在しなければ、楽曲名、楽曲データ格納場所、楽曲データファイル名を新たに登録して再生音圧（％）のフィールドに読み出した再生音圧（％）の値を書き込む。これにより再生した楽曲の再生終了時の再生音圧（％）の値が再生音圧データベースの中に残ることになる。
【００４３】
このように本実施形態の楽曲再生装置１では、再生終了時の再生音圧（％）を再生音圧データベースに楽曲データに対応付けて記憶しておき、次回の再生時にはその値を読み出してその再生音圧（％）で再生を開始する。このためリッピングした楽曲データのように異なる音圧で記録された楽曲でも前回再生時におけるユーザの好みの音圧で自動再生が行なわれる。従って、ユーザは再生中に好みの音圧に調節しておけば、次回以降の再生の際には音圧を好みに合わせてその都度、調節する必要がなくなるという効果を奏する。
【００４４】
なお、特許請求の範囲に記載した各手段は、本実施形態では次のように構成されている。記憶手段はＨＤＤ７により構成される。入力手段はタッチパネル付き表示装置５により構成される。楽曲再生手段は制御回路２、Ｄ／Ａ変換器１０、可変利得アンプ１１、スピーカ１２とＨＤＤ７内のプログラムにより構成される。ＣＤ駆動手段はＣＤ駆動装置９により構成される。
【００４５】
（第２の実施形態）
図６は、本発明に係る楽曲再生装置の第２の実施形態の回路構成をブロック図で示したものである。本実施形態の楽曲再生装置１ａは、図１に示した第１の実施形態の楽曲再生装置１に新たにＧＰＳ受信機１４と車速センサ１５を追加した構成となっている。それ以外のハードウェアの構成は同じであるので、同じ符号が付してある。
【００４６】
本実施形態の楽曲再生装置１ａは、車両に搭載されて使用される楽曲再生装置を想定している。第１の実施形態の楽曲再生装置１では、再生終了時の再生音圧（％）をその楽曲データにのみ対応付けて再生音圧データベースに記録するようにした。そして、次回の再生時にはその値を読み出してその再生音圧（％）で再生を開始させるようにした。
【００４７】
しかし、車両に搭載した楽曲再生装置では、同じ楽曲であっても車両の走行状態に応じて好みの再生音圧（音量）を変えたい場合がある。例えば、高速道路を高速で快適に走行している時と一般道で渋滞に巻き込まれてノロノロ運転している場合とでは、同じ楽曲でも再生音圧（音量）を変えて聞きたいことがある。本実施形態は、このような要望に応えるべく、走行状態によって再生音圧（音量）が自動的に調節される装置を提供しようとするものである。
【００４８】
新たに追加したＧＰＳ受信機１４は、複数のＧＰＳ用人工衛星からの電波を受信して車両の現在位置を算出し、制御回路２に伝えるものである。車速センサ１５は車速を検出するためのもので、例えばトランスミッションの回転を電気信号に変換して車速を検出する。
【００４９】
ソフトウェア面では、ＨＤＤ７内に新たに道路地図を含む地図データベースと、後述する本実施形態に特有の機能を発揮させるプログラム、それに一般的なナビゲーション機能を実行するためのプログラムが追加してある。
【００５０】
一般的なナビゲーション機能を発揮させるプログラムとしては、ＧＰＳ受信機１４により算出された位置座標を地図の道路上に位置付けて自車の現在位置を確定するマップマッチング処理機能、目的地や経由地の指定を受けて現在位置から目的地までの経路を探索する経路探索機能、その経路探索結果に応じた走行経路を地図画面上に表示して誘導する経路誘導機能を実行するプログラム等がある。
【００５１】
追加された地図データベースは、表示装置３上に道路地図、背景地図を表示したり、その上に車両の現在位置、走行経路、経路誘導情報等を重畳表示したりする際に必要な各種地図データを記憶するデータベースである。その中で最も重要なのは道路地図である。道路地図は、各道路の交差点、曲がり点、行き止まり等をノード、それぞれのノード間の道路をリンク（道路区間に相当）と定義し、そのリンクを接続することにより道路地図を構成したものである。各リンクにはそのリンクの道路種類、リンク長、道路幅、車線数等の情報が属性情報として記憶されている。従って、自車位置が検出されて走行中のリンクが判明すれば、走行中道路の種類（高速道路、一般道路等の区別）も判明する。
【００５２】
次に、このような構成の下での楽曲再生の仕方について説明する。図７はその制御フローを示したもので、制御回路２が実行するフローである。この図７の制御フローも第１の実施形態の図２の制御フローと類似点が多い。最初のステップＳ１〜Ｓ４は図２のフローと同じである。図２のフローではステップＳ４でＨＤＤ７内の楽曲データベースに記憶されている楽曲データを抽出した後、ステップＳ５で音圧調整タスクを起動しているが、本実施形態の図７のフローでは代わりにステップＳ５ａで走行状態による音圧調整タスクを起動し、続いてステップＳ５ｂで音圧調整タスク２を起動している。
【００５３】
ステップＳ５ｂで起動する音圧調整タスク２の制御フローを図８に示す。この図８の音圧調整タスク２は、図３に示す第１の実施形態の音圧調整タスクについての制御フローにおけるステップＴ２の部分をステップＴ２ａとステップＴ２ｂに置き換える変更を加えたフローである。図３のステップＴ２では、指定楽曲の再生音圧データを再生音圧データベースから読み出す。第１の実施形態における再生音圧データ（再生音圧（％））は、図５に示したように楽曲データ（楽曲名と格納場所で特定される。）にのみ対応つけて記録されていたので、指定楽曲データから対応する再生音圧％を直ちに読み出すことができた。
【００５４】
これに対して本実施形態における再生音圧データ（再生音圧（％））は指定楽曲データだけではなく、その時の走行状態にも関連付けて記録されている。図１０は、本実施形態の再生音圧データを登録するテーブルの構成例を示したものである。図５のテーブルに比べて走行中の道路種類と車速（ｋｍ／ｈ）の２つのフィールド（項目）が追加してある。
【００５５】
道路種類と車速は、その時の走行状態を表わす項目である。即ち、楽曲データが同じであっても再生する時の走行状態（本実施形態では道路種類と車速の２種類だけで表わしている。）により異なる再生音圧（％）を記憶できるようにしてある。道路種類としては、本実施形態では高速道路と一般道路の２種類に分類している。車速は分類の数を少なくするために１０ｋｍ／ｈ単位で分類している。
【００５６】
再生音圧データを登録するテーブルをこのように構成しているので、図８のステップＴ２ａでは、まず車速の検出と走行中の道路種類の特定を行なう。車速は車速センサ１５の検出値を読み取ることで判明する。走行中道路種類の特定にはまず自車位置の検出を行なう。自車位置はＧＰＳ受信機１４の検出値を制御回路２内でマップマッチング処理を行なうことで確定する。マップマッチング処理を行なえば走行中リンクが判明するので、前に述べたリンクの属性情報により道路の種類（高速道路、一般道路の区別）を特定することができる。
【００５７】
このようにして車速と走行中道路種類が判明したならば、次のステップＴ２ｂでは図１０の再生音圧データを登録したテーブルから指定楽曲データの中で判明した車速と走行中道路種類に対応する再生音圧（％）を読み取る。車速については検出した値に最も近い車速分類を選択する。
【００５８】
再生音圧（％）を読み取ったならば、その値を図３の場合と同様にステップＴ３で「出力中音圧」の作業領域に書き込む。これにより、このステップＴ２ｂで読み取った再生音圧（％）により再生が開始されることになる。続くステップＴ４以降は図３と同じフローで、ユーザが手動で音圧（音量）調節を行なった場合を処理するフローである。
【００５９】
図９は、図７のステップＳ５ａで起動をかけられる走行状態による音圧調整タスクの制御フローである。この走行状態による音圧調整タスクも、図７、図８のタスクと時分割で並行処理される。
【００６０】
前述したように再生される楽曲データは、再生開始時点における車速と走行中道路種類に対応して記憶されている再生音圧（％）で再生が開始される。しかし、再生途中で車速と走行中道路種類が変化することがある。図９の走行状態による音圧調整タスクは、再生の途中で車速と走行中道路種類が変化した場合に、それに合わせて再生音圧（％）を自動変更するためのものである。
【００６１】
最初のステップＡ１では、指定楽曲データの再生音圧データが再生音圧データベースに存在するかチェックする。存在しない場合は何もしないで終了する。存在する場合は、図８のステップＴ２ａの場合と同様にして車速の検出と走行中道路種類の特定を行なう（ステップＡ２）。車速の検出と走行中道路種類の特定を行なったならば、ステップＡ３ではそれらの情報から図８のステップＴ２ｂの場合と同様にして図１０の再生音圧データを登録したテーブルから対応する再生音圧（％）を読み取る。
【００６２】
そして、読み取った値を「出力中音圧」の作業領域に書き込む（ステップＡ４）。これにより再生音圧（％）は、変化した後の車速と走行中道路種類に対応した値に切り換わる。ステップＡ５ではΔｔ２時間待機して再びステップＡ１に戻る。このようにΔｔ２の時間間隔で車速と走行中道路種類のチェックが行なわれ、それに対応した再生音圧（％）に音圧（音量）が自動調整されることになる。
【００６３】
ここで図７のフローの説明に戻る。図７のステップＳ６、Ｓ７は、第１の実施形態の図２のステップＳ６、Ｓ７と同じである。また、指定楽曲データが音楽ＣＤ中に存在する場合を扱ったステップＳ８〜Ｓ１３のフローも、第１の実施形態の図２に示すステップＳ８〜Ｓ１３のフローと同じである。指定楽曲データがＨＤＤ７に存在した場合も音楽ＣＤに存在した場合も再生が終了するとステップＳ１４ａに移る。
【００６４】
ステップＳ１４ａ、Ｓ１４ｂは、第１の実施形態の図２のステップＳ１４を置き換えたもので、再生終了時の「出力中音圧」の作業領域に記憶されている再生音圧（％）を楽曲データ、その時の車速と走行中道路種類に対応付けて再生音圧データベースに登録するためのものである。ステップＳ１４ａでは図８のステップＴ２ａと同様にしてその時点における車速の検出と走行中道路種類の特定を行なう。続くステップＳ１４ｂでは、「出力中音圧」の作業領域に記憶されている再生音圧（％）を読み取り、再生を終えた楽曲データに対応付けて図１０の再生音圧データを登録したテーブルに登録する。この登録の場合には、楽曲データが同じでも車速と走行中道路種類による小分類に分類分けして登録を行なう。これにより再生終了時の車速と走行中道路種類に対応した再生音圧（％）が再生音圧データベースに登録されて残ることになる。
【００６５】
このように本実施形態の楽曲再生装置１ａでは、再生終了時の再生音圧（％）を楽曲データ別にその時の車速と走行中道路種類による小分類に分類分けして再生音圧データベースに登録する。そして次回の再生時には、その時点の車速と走行中道路種類に対応した再生音圧が読み出されてその音圧で再生が開始される。再生途中で走行状態が変った場合には自動的にそれに合わせた再生音圧が読み出されて音圧が変更される。従って、ユーザは走行状態に合わせて一々、手動で好みの再生音圧に調節するという煩わしさから開放される効果を奏する。
【００６６】
なお、本実施形態では、走行状態に応じて再生音圧を変更したいと考える動機付けの要素としてその時点における車速と走行中道路種類のみを考慮する場合を説明した。しかし、これ以外の走行状態を表わす要素、例えばその時点の時刻、季節、天候、走行目的等によっても好みの再生音圧を変更したい場合があるので、そのような走行状態の要素も考慮した分類に分けて再生音圧（％）を再生音圧データベースに記憶して利用するようにしてもよい。
【００６７】
なお、特許請求の範囲に記載した次の手段は、実施形態では次のように構成されている。車速検出手段は車速センサ１５により構成される。位置検出手段はＧＰＳ受信機、制御回路２、マップマッチング処理プログラムにより構成される。
【図面の簡単な説明】
【００６８】
【図１】第１の実施形態に係る楽曲再生装置１の回路構成のブロック図である。
【図２】第１の実施形態において楽曲データ又は音楽ＣＤを再生する場合の制御フローである。
【図３】第１の実施形態に係る音圧調整タスクのフローである。
【図４】再生楽曲指定画面の例である。
【図５】第１の実施形態に係る再生音圧データを登録するテーブルの例である。
【図６】第２の実施形態に係る楽曲再生装置１ａの回路構成のブロック図である。
【図７】第２の実施形態に係る図２相当図である。
【図８】第２の実施形態に係る図３相当図である。
【図９】第２の実施形態に係る走行状態による音圧調整タスクのフローである。
【図１０】第２の実施形態に係る図５相当図である。
【符号の説明】
【００６９】
図面中、１、１ａは楽曲再生装置、２は制御回路、５はタッチパネル付き表示装置、７はＨＤＤ、９はＣＤ駆動装置、１０はＤ／Ａ変換器、１１は可変利得アンプ、１２はスピーカを示す。
【図１】
2006302447.tif 000003
【図２】
2006302447.tif 000004
【図３】
2006302447.tif 000005
【図４】
2006302447.tif 000006
【図５】
2006302447.tif 000007
【図６】
2006302447.tif 000008
【図７】
2006302447.tif 000009
【図８】
2006302447.tif 000010
【図９】
2006302447.tif 000011
【図１０】
2006302447.tif 000012